(57)【特許請求の範囲】
【請求項１】
玉を遊技機へ補給するために一時貯留するための貯留部と、
玉を第１の他の島へ移送するためのバランス通路が接続される第１の供給口と、
玉を第２の他の島へ移送するためのバランス通路が接続される第２の供給口と、
前記第１の供給口と前記第２の供給口との何れかへ玉を案内する案内部と、
玉を磨きながら揚送する揚送装置によって揚送された玉を前記案内部へ案内するために、先端が案内部とは段差を有して上方に臨み、前記案内部へ向って下り傾斜して設けられたガイド板と、を備えた、
複数台のパチンコ遊技機を列設した遊技島内で、遊技島下部から前記揚送装置を介して揚送された玉を遊技島の上部で貯留可能とした前記揚送装置の上部に設けられる上部タンクにおいて、
前記ガイド板は、
先端が前記案内部の上方に少なくとも第１の供給口または、第２の供給口の中央位置まで臨む長さを有し、
前記案内部は、
第１の供給口へ下り傾斜して玉を第１の供給口へ案内する第１案内部と、
第２の供給口へ下り傾斜して玉を第２の供給口へ案内する第２案内部と、
前記第１案内部と、前記第２案内部の傾斜の境界を略水平とした傾斜頂部と、
を備え、
前記揚送装置からの玉が、前記ガイド板から前記案内部を経て、前記第１の供給口及び、前記第２の供給口へ至る経路上で滞留することなく案内されることを特徴とする上部タンク。

【発明の詳細な説明】
【技術分野】
【０００１】
本発明は、複数台のパチンコ遊技機を列設した遊技島内で、島内を循環するパチンコ玉を遊技島の上部で貯留する上部タンクに関するものである。
【背景技術】
【０００２】
複数台のパチンコ遊技機を片面または両面に直線状に列設させた遊技島において、遊技島内に貯留したパチンコ玉を循環させるシステムの構成について述べると、例えば、遊技島内に多量のパチンコ玉を貯留させる玉貯留タンクと、玉貯留タンクの端部の排出口に設けられた玉供給装置と、玉供給装置若しくは各パチンコ遊技機から回収樋に排出されたパチンコ玉を上方に揚送する揚送装置と、揚送装置の上部に揚送されたパチンコ玉を一時貯留させておく上部タンクと、上部タンクから各パチンコ遊技機や各遊技媒体貸出機に対してパチンコ玉を補給する補給樋と、上部タンクから溢れたパチンコ玉を玉貯留タンクに戻すためのオーバーフロー樋とを備え、このような循環機構によって、島内のパチンコ玉が循環するようにし、営業に補給トラブル等の支障がないようにしている。
【０００３】
ところで、上記のような遊技島に設置される上部タンクには、特許文献１に示すものがあり、図７又は図８に示すように構成されている。即ち、遊技島１の下部の玉貯留タンク２から揚送装置３を介して揚送されたパチンコ玉を遊技島１の上部に貯留可能とした上部タンク４であって、この上部タンク４は、パチンコ玉を一時貯留するための貯留部５と、他の島とパチンコ玉の供給及び受給を行うための供給受給部６とに仕切壁７によって仕切られている。仕切壁７には、貯留部５内でオーバーフローしたパチンコ玉を供給受給部６へ送出するオーバーフロー口７ａが設けられ、供給受給部６に送り込まれたパチンコ玉をオーバーフロー流路６ａを介して玉貯留タンク２へ送出可能としている。この玉貯留タンク２には側壁に上限検出スイッチ１４ａと下限検出スイッチ１４ｂとが所定の高さに設けられ、これらの検出スイッチで玉貯留タンク２内の玉の貯留量を検知し、貯留量が少なくなったときに隣接島へ供給要求信号が発信され、また隣接島から供給要求信号が送信されると供給口９に設けられたシャッタ（不図示）を開いて、上記のように揚送されたパチンコ玉を隣接島へ供給することとなる。
【０００４】
このような構成においては、通常、貯留部５の上部から供給受給部６上部に向かって下り傾斜したガイド板８が設けられ、また、供給口９は上部タンクの前面側と背面側の両方に設けられ（背面側のみ図示）、中央から前面側の供給口９、背面側の供給口９へ下り傾斜した山形状の案内部９ａが設けられていて、両側に隣接した遊技島へパチンコ玉の供給ができるようになっている。
そして、揚送装置３によって揚送されたパチンコ玉は受渡し口３ａからガイド板８上を案内部９ａ上へ向かって転動し、供給口９に設けられたシャッタ（不図示）が開いているときは、供給口９からバランス樋を介して隣接した遊技島へ送られる一方、シャッタが閉じているときは、案内部９ａ上からガイド板８上へ徐々にパチンコ玉が詰まり上がって行き、受渡し口３ａの下方に設けられたガイド板８の隙間８ａから貯留部５に送られる。
【０００５】
ところが、上記したように、供給口９のシャッタが閉じているときは、案内部９ａ上全体と、ガイド板８上の隙間８ａ近傍までパチンコ玉が滞留した状態となる。そして、このような状態から例えば背面側の供給口９のシャッタが開いたとき、案内部９ａ上の背面側の供給口９へ傾斜した側に滞留していたパチンコ玉は、供給口９からバランス樋を介して隣接島へ送給されるが、案内部９ａ上の前面側の供給口９に傾斜した側に滞留していたパチンコ玉はそのまま滞留し続け、ガイド板上８はおよそ前面側半分の領域はパチンコ玉が滞留した状態のままとなる。
そうすると、実質ガイド板８上のパチンコ玉が転動できる通路幅は通常の半分程度となってしまい、案内部９ａ側へ流れずに自島の隙間８ａから貯留部５へ流れるパチンコ玉が多くなって、隣接島への迅速な供給が行えないという不都合が生じていた。
【特許文献１】特開２００６−２８０５３９号公報
【発明の開示】
【発明が解決しようとする課題】
【０００６】
本発明は、上記の事情に鑑みてなされたものであり、複数台のパチンコ遊技機を列設した遊技島内において、隣接島へパチンコ玉を迅速に供給することができる上部タンクを提供することを目的とする。
【課題を解決するための手段】
【０００７】
上記の問題を解決するために、本発明の請求項１に係る上部タンクは、玉を遊技機へ補給するために一時貯留するための貯留部と、玉を第１の他の島へ移送するためのバランス通路が接続される第１の供給口と、玉を第２の他の島へ移送するためのバランス通路が接続される第２の供給口と、前記第１の供給口と前記第２の供給口との何れかへ玉を案内する案内部と、玉を磨きながら揚送する揚送装置によって揚送された玉を前記案内部へ案内するために、先端が案内部とは段差を有して上方に臨み、前記案内部へ向って下り傾斜して設けられたガイド板と、を備えた、複数台のパチンコ遊技機を列設した遊技島内で、遊技島下部から前記揚送装置を介して揚送された玉を遊技島の上部で貯留可能とした前記揚送装置の上部に設けられる上部タンクにおいて、前記ガイド板は、先端が前記案内部の上方に少なくとも第１の供給口または、第２の供給口の中央位置まで臨む長さを有し、前記案内部は、第１の供給口へ下り傾斜して玉を第１の供給口へ案内する第１案内部と、第２の供給口へ下り傾斜して玉を第２の供給口へ案内する第２案内部と、前記第１案内部と、前記第２案内部の傾斜の境界を略水平とした傾斜頂部と、を備え、  前記揚送装置からの玉が、前記ガイド板から前記案内部を経て、前記第１の供給口及び、前記第２の供給口へ至る経路上で滞留することなく案内されることとした。
【発明の効果】
【０００９】
上記の本発明の構成によれば、隣接する島へ玉（本発明の説明においては、「パチンコ玉」を「玉」と略称する）を供給する際に、ガイド板上に滞留する玉はほとんどなくなり、迅速な隣接島への供給が行える。
【発明を実施するための最良の形態】
【００１０】
以下、本発明の実施例について図面を参照しながら説明する。
【実施例１】
【００１１】
まず、遊技島の全体構成について図７を用いて説明する。なお、上記の背景技術の説明で用いた図７に示す遊技島１の全体構成は本実施例においても略同様である。また、以下の説明において、図７の部材と共通するものは同様の数字或いは記号を用いて説明する。
【００１２】
この遊技島１には、複数台列設されたパチンコ遊技機及び遊技媒体貸出機と、玉を磨きながら揚送する揚送装置３と、揚送装置３の上部に設けられた上部タンク４と、遊技島１内に多量の玉を貯留する玉貯留タンク２とが備えられている。玉貯留タンク２は、例えばメイン玉貯留タンク２Ａとサブ玉貯留タンク２Ｂとから構成されている。また、玉貯留タンク２から排出した玉は揚送装置３により上部タンク４内に揚送され、上部タンク４から各パチンコ遊技機及び各遊技媒体貸出機に補給樋１１を介して補給され、上部タンク４内にて余剰の玉を再び玉貯留タンク２に戻すオーバーフロー樋１２を経て循環還流するように構成されている。
【００１３】
また、図７の遊技島１内には、略１５万発程度の、また両面の両面島の場合は、略３０万発程度の玉が島内の玉貯留タンク２内に貯留されている。上記の玉貯留タンク２は、遊技島１に列設されるパチンコ遊技機の台数によって設置個数が決められ、多量の玉を貯留することができるように長さが異なるものを備えるようにされている。ここでは、一つのメイン玉貯留タンク２Ａ（長めの略長方形状であり、約１０万個収納可能）と、このメイン玉貯留タンク２Ａに順次接続される一つのサブ玉貯留タンク２Ｂ（メイン玉貯留タンク２Ａより少し短めの略長方形状であり、約５万個収納可能）とが備えられている。
【００１４】
さらに、枠体で構築された遊技島１には、複数台のパチンコ遊技機と遊技媒体貸出機とが交互に配設されている。このパチンコ遊技機の下方には、排出された玉（アウト玉）を回収する回収樋１０が揚送装置３（例えば、布磨き揚送装置）の下部に向かって傾斜状に設けられている。
【００１５】
以下、本実施例の上部タンク４について詳細に説明する。図１（ａ）、(ｂ)又は図２に示すように、上部タンク４の内部は、上記の揚送装置３により揚送された玉を貯留する貯留部５と、隣接する島と玉の供給受給を行うための供給受給部６を備えている。これらの貯留部５と供給受給部６とは仕切壁７で仕切られている。また、貯留部５の上部には上記の揚送装置３により揚送されてきた玉を上部タンク４内へ受け渡す受渡し口１７が設けられている。さらに、貯留部５の側板３５Ｄの下部には排出口１５が設けられ、この排出口１５に補給樋１１（図７参照）が取り付けられることによって、パチンコ遊技機や各遊技媒体貸出機に玉を供給することとなる。
【００１６】
また、上部タンク４内の背板３５Ｂには所定高さに上限検出手段Ｓｔと下限検出手段Ｓｄとが設けられ、貯留部５内の玉の貯留量が減少して下限検出手段Ｓｄの高さよりも減少したことを検出すると、遊技島１内の玉供給装置１３を駆動させるようにしている。
【００１７】
一方、供給受給部６の上側には隣接島へ玉を供給するための第１の供給口１８ａと、その下方には隣接島からの玉の供給を受ける受給口１９ａが設けられ、これらの第１の供給口１８ａと受給口１９ａに接続されたバランス通路２０Ａ、２０Ｂ（図４又は図５参照）を介して隣接島と玉の供給及び受給を行うようにしている。また、供給受給部６下部に形成された窪み形状の底板２１の最下部にはオーバーフロー開口２２（図２参照）が設けられ、このオーバーフロー開口２２の下部にはオーバーフロー流路１６が下り勾配を有して形成され、このオーバーフロー流路１６の下部に設けられた流下口２４にオーバーフロー樋１２（図７参照）を取付けるようにしている。
【００１８】
また、上部タンク４の貯留部５と供給受給部６とを仕切る仕切壁７の上部にて供給受給部６側へ緩やかに下り傾斜して設けられ、揚送装置３により揚送されて受け渡し口１７から供給受給部６側へ案内するためのガイド板２３が設けられている。また、供給受給部６の上方には案内部２５が設けられている。この案内部２５は、傾斜頂部２５ｃから第１の供給口１８ａへ下り傾斜した第１案内部２５ａと、傾斜頂部２５ｃから第２の供給口へ向かって下り傾斜した第２案内部２５ｂとを有した山形状に形成され、ガイド板２３によって案内された玉を第１の供給口１８ａと第２の供給口へ案内する。即ち、第１案内部２５ａと第２案内部２５ｂは傾斜頂部２５ｃを境界として互いに逆向に傾斜していて、ガイド板２３の傾斜は第１案内部２５ａおよび第２案内部２５ｂの傾斜と、ほぼ垂直な方向である。
また、傾斜頂部２５ｃは図１に示すように、供給受給部６上方の前後方向中央より前面側に設けてあるが、揚送装置３から受渡し口１７を通って上部タンク内へ入る玉は揚送装置３によって勢いを持って入るので、ガイド板２３から案内部２５へ誘導される玉の多くは後述の前板３５Ａから立上片２９近くを転動し、ほぼ傾斜頂部２５ｃ上に誘導される。
【００１９】
また、図１（ａ）に示すように受渡し口１７が形成された背板３５Ｂとガイド板２３との間には隙間３６が設けられている。また、背板３５Ｂの反対側には、図１(ｂ)、図２、図３には図示を省略してあるが、図４、図５に示すように、上部タンク４の前板３５Ａが設けられ、これらの前板３５Ａと背板３５Ｂと両側板３５Ｃ、３５Ｄとによって貯留部５と供給受給部６とは仕切壁７を境にした内部空間を有する形状とされている。
【００２０】
さらに、図１(ａ)(ｂ)に示すように、ガイド板２３には、背板３５Ｂの反対側縁部に沿って貯留部５の途中から壁面側へ斜状にガイド板２３の立上片２９が形成され、この立上片２９に玉を流通可能とした開口３０が形成されると共に、この開口３０の下部に貯留部通路３１が設けられている。
【００２１】
この貯留部通路３１は、ガイド板２３に上載された玉の一部を貯留部５へ流通する通路であって、前面が貯留部５の前板３５Ａで閉塞されることによって内部が筒形を成し、上記の立上片２９の開口３０に向けて開放された上部開口３１ａと貯留部５内の下方へ開口した下部開口３１ｂとを備え、この下部開口３１ｂが下限検出手段Ｓｄの位置よりも所定量だけ高くなるように形成されている。このような貯留部通路３１においては、貯留部５内の玉が下限検出手段Ｓｄを越して所定量（貯留部通路３１の上限である上部開口３１ａ）以上となると貯留部通路３１が塞がれて玉の略全部が案内部２５へと移送され、また貯留部５内の玉が下限検出手段Ｓｄを越した状態で所定量（貯留部通路３１の上限である上部開口３１ａ）以下となると貯留部通路３１が開放されてガイド板２３に上載された玉の一部が貯留部通路３１を経て貯留部５へ移送されると共に、残りの玉が案内部２５へ移送されることになる。
【００２２】
さらに、図１(ｂ)又は図２に示すように、貯留部５には仕切壁７に沿ってオーバーフロー通路３２が形成されている。このオーバーフロー通路３２は筒形に形成され、貯留部５内の上部位置に入口３２ａを有すると共に、仕切壁７の下部位置に出口３２ｂを有し、貯留部５内に貯留された玉が、オーバーフロー通路３２の筒形の下部開口を塞いだ状態になる。さらに、貯留部５内に玉が蓄積され、オーバーフロー通路３２の入口３２ａから該オーバーフロー通路３２内に入るようになると、オーバーフロー通路３２の下部開口を閉塞していた玉の上に落ちてさらに蓄積され、出口３２ｂに到った時点で、この出口３２ｂから供給受給部６へ移送される。
【００２３】
また、図２に示すように、オーバーフロー通路３２の出口３２ｂには仕切壁７の壁面からやや離間した状態で上部に固設された金具３３ａからウレタン材による緩衝板３３が垂下状に固設され、オーバーフロー通路３２を通過した玉は緩衝材３３に当って低い位置から供給受給部６の底板２１に落下するため、供給受給部６の底板２１への衝撃も少なく、静音化の効果を有し、また玉が散らばらずに底板２１に落下した後は、供給受給部６のオーバーフロー開口２２を通過してオーバーフロー流路１６へと移送される。このような構成により、後述するように他の島から上部タンク４の受給口１９ａを経て入ってくる玉の通路とオーバーフロー通路３２を経て入ってくる玉の通路とを共通化した簡潔な構成とすることが可能となる。また、このように緩衝材３３を設けたことによって、後述するように供給受給部６内に内部接続通路２０Ｃ（図５参照）を設けても邪魔にならない構成とすることが可能となる。
【００２４】
一方、図１(ｂ)又は図４に示すように、供給受給部６の上方には前述のようにガイド板２３の下流端部の下部にて段差をなす案内部２５が設けられている。この案内部２５の一端にはガイド板２３にて案内された玉を他の島へ移動する第１の供給口１８ａが形成されている。この供給口１８ａには、モータＭの駆動による開閉シャッタ３４ａが設けられ、この開閉シャッタ３４ａによって案内部２５に玉が流通できる状態と流通できない状態とに切替えるようにしている。また、図１（ａ）に示すように、上記の第１の供給口１８ａの反対側（前板３５Ａ側）に第２の供給口１８ｂが形成され、この第２の供給口１８ｂにもモータ駆動による開閉シャッタ３４ｂが設けられている。このような構成において、図４に示すように、第１の供給口１８ａには、隣接島の受給口に接続されたバランス通路２０Ａが接続され、第２の供給口１８ｂには、第１の供給口１８ａとは反対側の隣接島の受給口に接続されたバランス通路２０Ｄが接続されている。さらに、第１の供給口１８ａの下方には受給口１９ａが設けられ、この受給口１９ａには隣接島の供給口に接続されたバランス通路２０Ｂが接続されている。
【００２５】
以上の構成において、貯留部５の下限検出手段Ｓｄが玉を検出していないときは、自島の遊技機へ補給する分が少なくなっている状態であるため、下限検出手段ＳｄのＯＦＦ信号によって第１、第２の供給口１８ａ、１８ｂを閉ざすことにより、ガイド板２３に上載された玉の略全部が貯留部通路３１を経て貯留部５へ移動され、貯留部５内の玉が下限検出手段Ｓｄを越して貯留部通路３１の下部開口３１ｂが塞がれる。また、この貯留部通路３１の上部開口３１ａまで玉が蓄積されることによって玉の略全部が案内部２５へ案内され、さらに貯留部５内の玉が減少して貯留部通路３１の下部開口３１ｂが開放されることにより、ガイド板２３に上載された玉の一部が貯留部通路３１を経て貯留部５へ移送され、残りの玉が案内部２５へ案内されることとなる。
【００２６】
また、隣接島からの玉の供給要求信号がないときは、第１及び第２の供給口１８ａ、１８ｂが閉ざされた状態を維持するため、案内部２５へ案内された玉はガイド板２３に上載された状態から溢れ出して隙間３６（図１(ａ)参照）から貯留部５内へ落下し、また貯留部通路３１が空いている場合は、ガイド板２３の開口３０を経て貯留部通路３１へ落下する。
【００２７】
また、上述のように第１及び第２の供給口１８ａ、１８ｂが閉ざされた状態であると、案内部２５上の全体と、ガイド板２３上の隙間３６近傍まで玉が滞留した状態となる。
この状態から、例えば第１供給口１８ａの開閉シャッタ３４ａが開かれると第１案内部２５ａ上に滞留した玉が第１供給口１８ａからバランス通路へ流れて、これに伴ってガイド板２３上に滞留していた玉も案内部２５へ流れていき、第１案内部２５ａから第１供給口１８ａを介してバランス通路へ流れていく。第２案内部２５ｂ上に滞留した玉は滞留したままの状態となる。
このとき、従来のようにガイド板２３が仕切壁７上までの長さしかなく、案内部２５の上方に臨むまで延びていない場合は、上記の第２案内部２５ｂ上全体とガイド板２３上の前板３５Ａ側およそ半分の領域にも玉が滞留したまま残ってしまい、ガイド板２３上で玉が流れることができる通路幅が通常の半分程度となり、隣接島への迅速な供給に支障を来たしていた。
しかし、本実施例では、滑らかな底面で案内部２５へ下り傾斜しているガイド板２３が案内部２５の上方まで延びているので、ガイド板２３上の玉はスムーズに案内部２５に向かって流れていき、ガイド板２３上に滞留する玉はほとんどなくなり、迅速な隣接島への供給が行える。
【００２８】
同様に、案内部２５上の全体と、ガイド板２３上の隙間３６近傍まで玉が滞留した状態から第２供給口１８ｂの開閉シャッタ３４ｂが開かれた場合でも、ガイド板２３上には背面側（第１案内部２５ａ側）の先端部に一部の玉が残る程度で、ほとんどの玉は滞留することなくスムーズに案内部２５に向かって流れていき、迅速な隣接島への供給が行える。
【００２９】
また、ガイド板２３と案内部２５との間の段差の高さについては、高いほうがよりガイド板２３上で玉が滞留せずに流れ易く、玉１個分以上の段差があることが望ましいが、ガイド板２３の底面が案内部２５の上面に当接していてもよい。
ガイド板２３の案内部２５上方に臨む長さについては、長く延びているほうがよりガイド板２３上で玉が滞留せずに流れ易く、実施例のように、第１の供給口１８ａと第２の供給口１８ｂが供給受給部６上方で左右方向（ガイド板２３の傾斜方向）に位置をずらして設けられている場合には、少なくともガイド板２３から見て手前側に設けられた第２の供給口１８ｂの略中央位置まで臨んでいることが望ましい。なお、本実施例においては、第１の供給口１８ａと第２の供給口１８ｂとの間の中央位置まで臨んでいる（図１参照）。
また、本実施例の案内部２５の上方に先端が臨んで設けられるガイド板２３は、第１の供給口１８ａと第２の供給口１８ｂが供給受給部６上方で前後方向に一直線上に設けられている上部タンクであっても用いることができる。
【００３０】
上部タンク４の貯留部５が玉で満杯状態になると、オーバーフロー通路３２の入口３２ａから出口３２ｂを経て供給受給部６へ流れ込み、上記のように緩衝板３３に当たった後、供給受給部６の底板２１に落下し、供給受給部６のオーバーフロー開口２２を通過してオーバーフロー流路１６へと移送される。
【００３１】
本実施例においては、図４に示すように、隣接島の上部タンク４に設けられた供給口１８から自島の上部タンク４に設けられた受給口１９ａには供給受給部６の内部側に受給口緩衝部材２６が設けられている。この受給口緩衝部材２６は、図６に示すように、受給口１９ａから供給受給部６の内部へ入った玉を緩衝状態で衝突させるウレタン等による垂下弾性部材２７と、垂下弾性部材２７の下方にて下向き凸に湾曲してなるウレタン等による湾曲弾性部材２８とから構成され、隣接島から自島の供給受給部６に玉を移送させる際、移送された玉を自島の受給口１９ａに設けられた受給口緩衝部材２６で受け取るようにしている。
【００３２】
このような構成により、隣接島から供給された玉がバランス通路２０Ｂ（図４参照）を経て受給口１９ａから入ってきた際、先ず垂下弾性部材２７で受けることによって、衝突音を緩和した状態で玉を跳ねずにスピードを落すことができ、その後は湾曲弾性部材２８に落下することによって、湾曲弾性部材２８の下方の狭い範囲に集められた状態で低位置から供給受給部６の底面へ落下するため、底部への衝撃も少なく、高い音を発することがなく、また玉同士が散らばることなく、供給受給部６のオーバーフロー開口２２を通過してオーバーフロー流路１６へと移送され、オーバーフロー樋１２を介して玉貯留タンク２へと供給される。
【００３３】
さらに、他の実施例として、図５に示すように、隣接島の供給口から自島の上部タンク４の受給口１９ａにバランス通路２０Ｂが接続され、隣接島の供給口から自島の受給口１９ａへと玉を移送させることが可能とされている。また、自島の上部タンク４の内部にて受給口１９ａと、この受給口１９ａの反対側に設けられた連通口１９ｂにわたって内部接続通路２０Ｃが接続され、バランス通路２０Ｂからの玉を受給口１９ａから反対側の連通口１９ｂへと移送させ、連通口１９ｂに接続されたバランス通路２０Ｅを介して反対側の隣接島への送給することが可能となる。
【００３４】
また、上記の内部接続通路２０Ｃは取外し可能とされ、この内部接続通路２０Ｃを取外すことにより、図４に示すように、バランス通路２０Ｂからの玉を受給口１９ａから受給口緩衝部材２６を介して供給受給部６の内部へ移送可能とされている。このような構成により、隣接島から反対側の隣接島へ自島を通過して直通で玉の移送が可能となる。仮に、上記の内部接続通路２０Ｃが設けられていない構成の場合、バランス通路（樋部材）は自島を越して隣接島から反対側の隣接島へ掛け渡すこととなり、非常に長尺の樋部材が必要となって、島同志を繋ぐ樋部材が煩雑で複雑な構成となるが、上記の本実施例の構成により、そのような長尺な樋部材は不要となる。
【図面の簡単な説明】
【００３５】
【図１】(ａ)は本発明の上部タンクの内部構成を示す上面図であり、(ｂ)は本発明の上部タンクの内部構成を示す正面図である。
【図２】本発明の上部タンクの内部構成を示す斜視図である。
【図３】本発明の上部タンクの内部構成を示す斜視図である。
【図４】本発明の上部タンクの隣接島へのバランス通路構成を示す斜視図である。
【図５】本発明の上部タンクの内部に内部接続通を設けた場合の隣接島へのバランス通路構成を示す斜視図である。
【図６】本発明の上部タンクの内部に設けた受給口緩衝部材を単独で示す斜視図である。
【図７】従来（又は本発明）の上部タンクが適用される遊技島の構成を示す図である。
【図８】従来の上部タンクの内部構造を示す図である。
【符号の説明】
【００３６】
１  遊技島
２  玉貯留タンク
２Ａ  メイン玉貯留タンク
２Ｂ  サブ玉貯留タンク
３  揚送装置
５  貯留部
６  供給受給部
７  仕切壁
１０  回収樋
１１  補給樋
１２  オーバーフロー樋
１３  玉供給装置
１４ａ  上限検出スイッチ
１４ｂ  下限検出スイッチ
１５  排出口
１６  オーバーフロー流路
１７  受渡し口
１８ａ  第１の供給口
１８ｂ  第２の供給口
１９ａ  受給口
１９ｂ  連通口
２０Ａ  バランス通路
２０Ｂ  バランス通路
２０Ｃ  内部接続通路
２０Ｄ  バランス通路
２０Ｅ  バランス通路
２１  底板
２２  オーバーフロー開口
２３  ガイド板
２４  流下口
２５  案内部
２５ａ  第１案内部
２５ｂ  第２案内部
２５ｃ  傾斜頂部
２６  受給口緩衝部材
２７  垂下弾性部材
２８  湾曲弾性部材
２９  立上片
３０  開口
３１  貯留部通路
３１ａ  上部開口
３１ｂ  下部開口
３２ａ  入口
３２ｂ  出口
３２  オーバーフロー通路
３３ａ  金具
３３  緩衝板
３４ａ、３４ｂ  開閉シャッタ
３５Ａ  前板
３５Ｂ  背板
３５Ｃ  側板
３５Ｄ  側板
３６  隙間
３７  底板
Ｓｔ  上限検出手段
Ｓｄ  下限検出手段
Ｍ  モータ
【図１】
0005330664.tif 000002
【図２】
0005330664.tif 000003
【図３】
0005330664.tif 000004
【図４】
0005330664.tif 000005
【図５】
0005330664.tif 000006
【図６】
0005330664.tif 000007
【図７】
0005330664.tif 000008
【図８】
0005330664.tif 000009